(57)【要約】【課題】新構造のプラズマディスプレイパネルを提供する。【解決手段】第１基板と、第１基板に対向して配される第２基板と、第１基板と第２基板との間に配され、複数の放電セルを区画する第１隔壁と、第１隔壁内に一方向に沿って延びるように配され、前記放電セルで面放電を起こす放電電極対と、放電セル内に配された蛍光体層と、放電セル内にある放電ガスとを備えるプラズマディスプレイパネルである。【選択図】図２
2006120637.tif 000002
【特許請求の範囲】
【請求項１】
第１基板と、
前記第１基板に対向して配される第２基板と、
前記第１基板と第２基板との間に配され、複数の放電セルを区画する第１隔壁と、
前記第１隔壁内に一方向に沿って延びるように配され、前記放電セルで放電を起こす放電電極対と、
前記放電セル内に配された蛍光体層と、
前記放電セル内にある放電ガスと、を備えるプラズマディスプレイパネル。
【請求項２】
前記放電電極対は、ストライプ形状を有することを特徴とする請求項１に記載のプラズマディスプレイパネル。
【請求項３】
前記第１隔壁は、相互対向して配される第１隔壁部を備えることを特徴とする請求項１に記載のプラズマディスプレイパネル。
【請求項４】
前記各放電電極対は、前記第１隔壁部に沿って延びることを特徴とする請求項３に記載のプラズマディスプレイパネル。
【請求項５】
前記放電セル毎に複数の放電電極対が配されることを特徴とする請求項１に記載のプラズマディスプレイパネル。
【請求項６】
前記各放電セルを介在して２個の放電電極対が配されることを特徴とする請求項５に記載のプラズマディスプレイパネル。
【請求項７】
前記各放電電極対は、第１放電電極及び第２放電電極を備えることを特徴とする請求項１に記載のプラズマディスプレイパネル。
【請求項８】
前記第１放電電極及び第２放電電極は、相互平行に延びることを特徴とする請求項７に記載のプラズマディスプレイパネル。
【請求項９】
前記第１放電電極及び第２放電電極は、前記第１基板に実質的に垂直方向に離隔されて配されることを特徴とする請求項７に記載のプラズマディスプレイパネル。
【請求項１０】
同じ放電セルに配される第１放電電極と第２放電電極は、各々相互電気的に連結されていることを特徴とする請求項７に記載のプラズマディスプレイパネル。
【請求項１１】
前記放電電極対と交差するように延びるアドレス電極をさらに備えることを特徴とする請求項１に記載のプラズマディスプレイパネル。
【請求項１２】
前記アドレス電極を覆う誘電体層をさらに備えることを特徴とする請求項１１に記載のプラズマディスプレイパネル。
【請求項１３】
前記アドレス電極は、前記蛍光体層と前記第２基板との間に配されることを特徴とする請求項１１に記載のプラズマディスプレイパネル。
【請求項１４】
前記第１隔壁と前記第２基板との間に配され、前記第１隔壁と共に前記放電セルを区画する第２隔壁をさらに備え、
前記蛍光体層は、少なくとも前記第２隔壁の側面に配されることを特徴とする請求項１に記載のプラズマディスプレイパネル。
【請求項１５】
前記第１隔壁の側面に配される保護層をさらに備えることを特徴とする請求項１に記載のプラズマディスプレイパネル。
【発明の詳細な説明】
【技術分野】
【０００１】
本発明は、新構造のプラズマディスプレイパネルに関する。
【背景技術】
【０００２】
最近、従来の陰極線管ディスプレイ装置を代替するものと注目されているプラズマディスプレイパネル（Ｐｌａｓｍａ  Ｄｉｓｐｌａｙ  Ｐａｎｅｌ：ＰＤＰ）は、複数の電極が形成された二基板間に放電ガスが封入された後、放電電圧が加えられ、これによって発生する紫外線により所定のパターンで形成された蛍光体が励起されて所望の画像を得る装置である。
【０００３】
図１を参照すれば、ＰＤＰ５は、相互対向する背面基板１０と前面基板２０とを備える。背面基板１０の前面には、複数のアドレス電極１１が配列されており、このアドレス電極１１は、第１誘電体層１２により埋め込まれている。そして、第１誘電体層１２の前面には隔壁１３がマトリックス状の放電セル１４を区画している。この隔壁１３により区画された放電セル１４内には蛍光体層１５が所定厚さに塗布される。前面基板２０は、可視光が透過されうる透明基板であって、主にガラスからなり、隔壁１３が備えられた背面基板１０に結合される。前面基板２０の背面には、アドレス電極１１と交差する維持電極対３０が形成されている。この維持電極対３０のうち、一方の維持電極はＸ電極２１であり、他方の維持電極はＹ電極２２である。このような維持電極対３０は、第２誘電体層２３により埋め込まれており、第２誘電体層２３の背面には保護層２４が形成されている。
【０００４】
ところで、上記の一般的な３電極面放電型ＰＤＰ５においては、蛍光体層１５から発散された可視光線が、維持電極２１、２２、第１誘電体層２３、及び保護層２４によって相当部分（約４０％）が吸収されるために、発光効率が低いという問題点がある。
【発明の開示】
【発明が解決しようとする課題】
【０００５】
本発明は、前記問題点を解決するために創出されたものであって、発光効率が上昇したＰＤＰを提供するところにその目的がある。
【０００６】
本発明の他の目的は、永久残像が減少する構造を有するＰＤＰを提供するところである。
【０００７】
本発明のさらに他の目的は、工程が単純かつ不良率が低減するＰＤＰを提供するところである。
【課題を解決するための手段】
【０００８】
前記目的を達成するために本発明は、第１基板と、前記第１基板に対向して配される第２基板と、前記第１基板と第２基板との間に配され、複数の放電セルを区画する第１隔壁と、前記第１隔壁内に一方向に沿って延びるように配され、前記放電セルで面放電を起こす放電電極対と、前記放電セル内に配された蛍光体層と、前記放電セル内にある放電ガスと、を備えるＰＤＰを提供する。
【０００９】
本発明において、前記放電電極はストライプ状を有することが望ましい。
【００１０】
また、本発明において、前記第１隔壁は、相互対向して配される第１隔壁部を備えることが望ましい。この際、前記各放電電極対は、前記第１隔壁部に沿って延びることが望ましい。
【発明の効果】
【００１１】
本発明によるＰＤＰは、次のような効果を有する。
【００１２】
第１に、放電電極の構造が単純なので、工程が簡単になる。したがって、電極不良による不良率が顕著に低下する。
【００１３】
第２に、放電空間が増加するために、放電量が増加して輝度及び発光効率が向上する。したがって、低い電圧でも駆動可能になって、発光効率を画期的に向上させうる。
【００１４】
第３に、低電圧駆動が可能なので、高濃度Ｘｅガスを放電ガスとして使用しても、低電圧駆動が可能となって、発光効率を向上させうる。
【００１５】
第４に、電極を、可視光線が透過される前面基板に配さず、放電セルの側面に配しているので、電極として、抵抗の大きな透明電極を使用する必要なく、抵抗の低い電極、例えば、金属電極を電極として使用できるために放電応答速度が速くなり、波形の歪曲なしに低電圧駆動が可能となる。
【００１６】
第５に、放電セルの側面に形成された第１放電電極及び第２放電電極に印加された電圧による電界がプラズマを放電セルの上部に集中させることによって、長時間の放電があっても、放電により生成されたイオンの電界による蛍光体への衝突を防止することによって、イオンスパッタリングによる蛍光体損傷によって発生する永久残像の問題点を根本的に防止しうる。特に、高濃度Ｘｅガスを放電ガスとして使用する場合、永久残像の問題が非常に深刻になるが、本発明の場合、このような永久残像を根本的に防止しうる。
【発明を実施するための最良の形態】
【００１７】
以下、添付した図面に基づいて本発明を詳細に説明する。
【００１８】
図２ないし図４を参照すれば、本発明の一実施形態によるＰＤＰ１００が図示されている。ＰＤＰ１００は、第１基板１１０、第２基板１２０、蛍光体層１２６、第１隔壁１２４、第２隔壁１２８、放電電極対１４０、アドレス電極１１８及び誘電体層１１２を備える。
【００１９】
第１基板１１０は、通常、ガラスを主成分とする透光性に優れた素材より製造される。但し、反射輝度を低下させることによって、コントラストを向上させるために、第１基板１１０を着色することもできる。また、第２基板１２０は、第１基板１１０から所定の間隔に離隔され、これらの間に第１隔壁１２４によって区画される複数の放電セル１３０を限定する。第２基板１２０は、ガラスのように透光性に優れた材料より製造される。第２基板１２０の場合も、第１基板１１０と類似して着色しうる。本発明では、放電セル１３０で生成された可視光が第１基板１１０と第２基板１２０の少なくともいずれか一方を通じて外部に出射されうる。但し、本実施形態では、放電セル１３０で生成された可視光が第１基板１１０を通じて外部に出射される。
【００２０】
図２を参照すれば、第１隔壁１２４は、実質的に四角形の横断面を有する複数の放電セル１３０を区画する。本実施形態において、第１隔壁１２４は、相互対向して配されて一方向（ｙ方向）に延長する第１隔壁部１２４ａと、前記第１隔壁部１２４ａと交差する第２隔壁部１２４ｂを備える。特に、本実施形態において、第１隔壁の角部はラウンド処理されているので、これは放電が角部に集中して第１隔壁が破損されることを防止し、放電が全体的に均一に発生するようにするためである。しかし、第１隔壁１２４の形態は、これに限定されるものではなく、複数の放電空間を形成する限り、例えば、ワッフル、デルタなどの放電セルを区画する同じ隔壁よりなりうる。また、放電セルの横断面は、四角形以外にも、三角形、五角形などの多角形、または円形、楕円形などに形成しうる。
【００２１】
第１基板１２０と第１隔壁１２４は、一体に形成されるが、ここで一体とは、同一工程で形成されるということを意味するものではなく、第１基板１１０と第１隔壁１２４とが破損されずに分離され難いということを意味する。
【００２２】
図２ないし図４に図示されたように、第１隔壁１２４内には、放電電極対１４０が配されている。各放電電極対１４０は、第１放電電極１１３及び第２放電電極１１４を備える。第１放電電極１１３及び第２放電電極１１４は、第１隔壁部１２４ａが配される方向（ｙ方向）に沿って相互平行に延び、望ましくは、ストライプ状を有する。第１放電電極及び第２放電電極がストライプ状を有するために、製造工程が単純になり、電極線の短絡による製品不良率が減少する。
【００２３】
また、各放電セル１３０毎に２個ずつの放電電極対が相互対向すべく配されており。前記２個の放電電極対１４０は、各放電セルの対向する２個の側面で各々面放電を起こす。しかし、本発明はこれに限定されず、各放電セル毎に１つ以上の放電電極対を配することができ、ＰＤＰの輝度などを考慮して放電電極対の数を設計することが望ましい。
【００２４】
第１隔壁１２４内で第１放電電極１１３と第２放電電極１１４は、第１基板１１０に垂直方向（ｚ方向）に相互離隔されて配される。したがって、第１放電電極１１３は、第２放電電極１１４より第１基板１１０に近く配される。
【００２５】
各放電セル１３０に配された２個の放電電極対１４０の第１放電電極１１３は、一端部で第１連結部１４５によって相互電気的に連結されることが望ましい。第１放電電極１１３毎に別途に電気信号が印加されるが、駆動時に同じ電気的信号が第１放電電極１１３に印加される場合、２個の第１放電電極１１３が電気的に連結された状態でＦＰＣ（Ｆｌｅｘｉｂｌｅ  Ｐｒｉｎｔｅｄ  Ｃａｂｌｅ）のような外部の信号伝達部材に連結される。また、第１放電電極１１３と類似して、２個の第２放電電極１１４も一端部で第２連結部１４６によって相互電気的に連結されうる。
【００２６】
各放電セル１３０内での放電の均一化のために、対をなす第１放電電極１１３と第２放電電極１１４は、相互対称をなす形状を有することが望ましい。
【００２７】
このような第１放電電極１１３及び第２放電電極１１４は、前方（ｚ方向）への可視光透過率を低下させないために、アルミニウム、銅などの導電性金属で形成しうる。したがって、長手方向への電圧降下が小さいために、安定した信号伝達が可能となる。
【００２８】
第１隔壁１２４は、隣接した第１放電電極１１３と第２放電電極１１４との直接通電と、陽イオンまたは電子と、第１放電電極１１３及び第２放電電極１１４との直接衝突による第１放電電極１１３及び第２放電電極１１４の損傷を防止しつつも、電荷を誘導して壁電荷を蓄積しうる誘電体で形成されることが望ましい。
【００２９】
第２基板１２０の前面には、放電セル１３０を横切って延び、相互所定の間隔で平行に離隔されるアドレス電極１１８が配されている。アドレス電極１１８は、第１放電電極１１３及び第２放電電極１１４が延びる方向と交差する方向（ｘ方向）に延びる。アドレス電極１１８は、第１放電電極１１３と第２放電電極１１４との間の維持放電をさらに容易にするアドレス放電を起こすためのものであって、さらに具体的には、維持放電が開始される電圧を下げる役割を果たす。アドレス放電は、走査電極とアドレス電極との間の放電であって、アドレス放電が終了されれば、走査電極側に陽イオンが蓄積されて共通電極側に電子が蓄積され、これで走査電極と共通電極との間の維持放電がさらに容易になる。走査電極とアドレス電極との間隔が狭い場合、アドレス放電が効率的に起こるために、本実施形態では、アドレス電極１１８と近い第２放電電極１１４が走査電極として作用し、第１放電電極１１３が共通電極として作用することが望ましい。だが、本発明はこれに限定されるものではなく、アドレス電極１１８を多様な位置に配しうる。
【００３０】
アドレス電極１１８は、誘電体層１１２によって埋め込まれることが望ましい。このような誘電体層１１２は、放電時に陽イオンまたは電子がアドレス電極１１８に衝突して、アドレス電極１１８を損傷させることを防止しつつも、電荷を誘導できる誘電体として形成されるが、このような誘電体としては、ＰｂＯ、Ｂ２Ｏ３、ＳｉＯ２などがある。
【００３１】
誘電体層１１２と第１隔壁１２４との間には、第１隔壁１２４と共に放電セル１３０を区画する第２隔壁１２８が配されている。本実施形態で第２隔壁１２８は、第１隔壁１２８のような形状を有するように形成されているが、相異なる形状を有するように形成されうる。
【００３２】
第２隔壁の側面１２８ａと、誘電体層の前面１１２ａにも蛍光体層１２６が配されている。このような蛍光体層１２６は、紫外線を受けて可視光線を発生させる成分を有するが、赤色放電セルに形成された赤色発光蛍光体層は、Ｙ（Ｖ、Ｐ）Ｏ４：Ｅｕのような蛍光体を含み、緑色放電セルに形成された緑色発光蛍光体層は、Ｚｎ２ＳｉＯ４：Ｍｎのような蛍光体を含み、青色放電セルに形成された青色発光蛍光体層は、ＢＡＭ：Ｅｕのような蛍光体を含む。
【００３３】
第１隔壁１２４の側面には、保護層１１９が形成されている。保護層１１９は、プラズマ粒子のスパッタリングによって誘電体として形成された第１隔壁１２４が損傷されることを防止し、プラズマ放電時に二次電子を放出して放電電圧を下げ、放電量を増加させる役割を果たす。保護層１１９は、酸化マグネシウム（ＭｇＯ）を所定の厚さに塗布することによって形成しうる。保護層１１９は、主にスパッタリング、電子ビーム蒸着法で薄膜より形成される。
【００３４】
放電セルには、Ｎｅ、Ｘｅ及びこれらの混合気体のような放電ガスが封じ込まれる。本実施形態を含む本発明の場合、放電面が増加し、放電領域が拡大できて、形成されるプラズマの量が増加するので、低電圧駆動が可能となる。したがって、本発明の場合、高濃度Ｘｅガスを放電ガスとして使用しても、低電圧駆動が可能となることによって、発光効率を画期的に向上させうる。このような点は、従来のＰＤＰで高濃度Ｘｅガスを放電ガスとして使用する場合、低電圧駆動が非常に困難になる問題点を解決したものである。
【００３５】
前述したように構成された本発明の望ましい実施形態によるプラズマパネル１００の作動を説明すれば次の通りである。
【００３６】
アドレス電極１１８と第２放電電極１１４との間にアドレス電圧が印加されることによって、アドレス放電が起こり、このアドレス放電の結果で維持放電が起こる放電セル１３０が選択される。次いで、前記選択された放電セル１３０の第１放電電極１１３と第２放電電極１１４との間に維持電圧が印加されれば、第１放電電極１１３と第２放電電極１１４と溜まっていた壁電荷の移動で維持放電を起こし、この維持放電時に励起された放電ガスのエネルギー準位が低くなりつつ、紫外線が放出される。そして、この紫外線が放電セル１３０内に塗布された蛍光体１２６を励起させるが、この励起された蛍光体層１２６のエネルギー準位が低くなりつつ、可視光が放出され、この可視光が第１基板１１０を透過して出射されつつ、ユーザが認識できる画像を形成する。
【００３７】
また、図１に図示された従来のＰＤＰ５においては、維持電極２１、２２間の維持放電が水平方向に起こって、放電面積が相対的に狭い。しかし、本実施形態によるＰＤＰ１００の維持放電は、放電セル１３０を限定する両側面で起こるために、放電空間が増加する長所を有する。
【００３８】
また、本実施形態によるＰＤＰでは、維持放電が放電セルの上部部分でなされるので、従来のＰＤＰの問題点であった荷電粒子による蛍光体のイオンスパッタリングが防止され、これにより、同じ画像を長時間表示しても永久残像が生じないという長所がある。
【００３９】
本発明は、図面に図示された実施形態を参考に説明されたが、これは例示的なものに過ぎず、当業者ならば、これより多様な変形及び均等な他の実施形態が可能であるという点を理解できるであろう。したがって、本発明の真の技術的保護範囲は、特許請求の範囲の技術的思想によって決まるべきである。
【産業上の利用可能性】
【００４０】
本発明は、プラズマディスプレイパネル関連の技術分野に好適に適用されうる。
【図面の簡単な説明】
【００４１】
【図１】従来の一般的なＰＤＰの分離斜視図である。
【図２】本発明の一実施形態によるＰＤＰの分離斜視図である。
【図３】図２のIII−IIIの断面図である。
【図４】図２に図示された放電セル及び電極を概略的に示す配置図である。
【符号の説明】
【００４２】
１００    ＰＤＰ、
１１０    第１基板、
１１２    誘電体層、
１１２ａ      誘電体層の前面、
１１３    第１放電電極、
１１４    第２放電電極、
１１８    アドレス電極、
１１９    保護層、
１２０    第２基板、
１２４    第１隔壁、
１２４ａ      第１隔壁部、
１２４ｂ      第２隔壁部、
１２６    蛍光体層、
１２８    第２隔壁、
１２８ａ      第２隔壁の側面、
１３０    放電セル、
１４０    放電電極対、
１４５    第１連結部、
１４６    第２連結部。
【図１】
2006120637.tif 000003
【図２】
2006120637.tif 000004
【図３】
2006120637.tif 000005
【図４】
2006120637.tif 000006